【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
ユーザ装置と、
前記ユーザ装置の無線リソース制御を制御経路を介して実行可能である第１基地局と、
前記ユーザ装置の無線リソース制御を実行しない第２基地局と
を含む複数の基地局と、
前記第１基地局に接続される第１ゲートウェイと、
前記第２基地局に接続される第２ゲートウェイと
を含む複数のゲートウェイと、
ノード間のユーザ経路の確立を制御する交換局とを備え、
前記交換局は、
前記ユーザ装置が実行する通信において経由すべきゲートウェイが前記第２ゲートウェイであるか否かを判定する交換局判定部と、
前記ユーザ装置が実行する通信において経由すべきゲートウェイが前記第２ゲートウェイであると前記交換局判定部が判定した場合に、前記第２基地局から前記第２ゲートウェイへの上りリンクの第１ユーザ経路を確立するように前記第２基地局と前記第２ゲートウェイとを制御し、前記ユーザ装置と前記第２基地局とに無線経路である第２ユーザ経路を確立するように前記第１基地局と前記第２基地局とを制御する交換局制御部を備え、
前記第１基地局は、
前記交換局制御部による制御に基づき、前記第２ユーザ経路を確立するように前記ユーザ装置を制御する第１基地局制御部を備え、
前記第２基地局は、
前記第２ゲートウェイから前記第２基地局への下りリンクの第１ユーザ経路を確立するように当該第２基地局と前記第２ゲートウェイとを制御する第２基地局制御部を有する
無線通信システム。
【請求項２】
前記交換局制御部は、
前記ユーザ装置が実行する通信において経由すべきゲートウェイが前記第２ゲートウェイであると前記交換局判定部が判定した場合に、前記第１ユーザ経路および前記第２ユーザ経路を含む論理セッションを前記ユーザ装置に確立することを要求するセッション確立要求メッセージを前記第２ゲートウェイに送信し、
前記第２ゲートウェイは、
前記交換局から前記セッション確立要求メッセージを受信すると、前記上りリンクの前記第１ユーザ経路を識別する上り経路識別子を生成し、
前記上り経路識別子を含むセッション確立応答メッセージを前記交換局に送信する第２ゲートウェイ制御部を備え、
前記交換局制御部は、
前記第２ゲートウェイから前記セッション確立応答メッセージを受信すると、前記第２ユーザ経路を識別する無線経路識別子を生成し、
前記無線経路識別子と前記セッション確立応答メッセージに含まれる前記上り経路識別子とを含み、前記第１ユーザ経路を確立することを要求する第１ユーザ経路確立要求メッセージを前記第２基地局に送信し、
前記第２基地局制御部は、
前記第１ユーザ経路確立要求メッセージを受信すると、前記第１ユーザ経路確立要求メッセージに含まれる前記無線経路識別子を記憶し、
前記下りリンクの前記第１ユーザ経路を識別する下り経路識別子を生成し、
前記第１ユーザ経路確立要求メッセージに含まれる前記上り経路識別子を用いて前記上りリンクの前記第１ユーザ経路を確立し、前記無線経路識別子を含む第１ユーザ経路確立完了メッセージを前記交換局に送信する
請求項１の無線通信システム。
【請求項３】
前記交換局制御部は、
前記第２基地局から前記第１ユーザ経路確立完了メッセージを受信すると、前記無線経路識別子を含み前記第２ユーザ経路を確立することを要求する第２ユーザ経路確立要求メッセージを前記第１基地局に送信し、
前記第１基地局制御部は、
前記交換局から前記第２ユーザ経路確立要求メッセージを受信すると、前記無線経路識別子を含み、前記ユーザ装置と前記第２基地局とに前記第２ユーザ経路を確立することを要求する無線設定メッセージを前記ユーザ装置に送信し、
前記ユーザ装置は、
前記第１基地局から前記無線設定メッセージを受信すると、当該無線設定メッセージに含まれる前記無線経路識別子を用いて前記第２ユーザ経路を確立するユーザ装置制御部を備える
請求項２の無線通信システム。
【請求項４】
前記第２基地局制御部は、
前記第１ユーザ経路確立要求メッセージを受信すると、または、前記第２ユーザ経路が確立されると、
前記上り経路識別子と前記無線経路識別子とを関連付けると共に、前記下り経路識別子と前記無線経路識別子とを関連付けることにより、前記第１ユーザ経路と前記第２ユーザ経路とを関連付け、
前記下り経路識別子を含み、前記下りリンクの前記第１ユーザ経路を確立することを要求するローカル接続要求メッセージを前記第２ゲートウェイに送信し、
前記第２ゲートウェイ制御部は、
前記第２基地局から前記ローカル接続要求メッセージを受信すると、前記下り経路識別子を用いて前記下りリンクの前記第１ユーザ経路を確立し、
前記下りリンクの前記第１ユーザ経路が確立されたことを示すローカル接続応答メッセージを前記第２基地局に送信する
請求項２または請求項３の無線通信システム。
【請求項５】
前記ユーザ装置と前記第１基地局とに無線経路である第３ユーザ経路が確立されている場合、
前記上りリンクの前記第１ユーザ経路および前記下りリンクの前記第１ユーザ経路が確立されることにより前記第１ユーザ経路が確立された後に、前記第３ユーザ経路が解放される
請求項４の無線通信システム。
【請求項６】
ユーザ装置と、
前記ユーザ装置の無線リソース制御を制御経路を介して実行可能である第１基地局と、
前記ユーザ装置の無線リソース制御を実行しない第２基地局と
を含む複数の基地局と、
前記第１基地局に接続される第１ゲートウェイと、
前記第２基地局に接続される第２ゲートウェイと
を含む複数のゲートウェイと、
ノード間のユーザ経路の確立を制御する交換局とを備え、
前記交換局は、
前記ユーザ装置が実行する通信において経由すべきゲートウェイが前記第１ゲートウェイであるか否かを判定する交換局判定部と、
前記ユーザ装置が、前記第２ゲートウェイと前記第２基地局とに確立されている第１ユーザ経路および前記第２基地局と前記ユーザ装置とに確立されている第２ユーザ経路を含む論理セッションを介して通信を実行している場合であって、前記ユーザ装置が実行する通信において経由すべきゲートウェイが前記第１ゲートウェイであると前記交換局判定部が判定したときに、前記第２ユーザ経路を解放すると共に前記ユーザ装置と前記第１基地局とに第３ユーザ経路を確立するように、前記第１基地局を制御する交換局制御部を備え、
前記第１基地局は、
前記交換局制御部による制御に基づき、前記第３ユーザ経路を確立するように前記ユーザ装置を制御する第１基地局制御部を備え、
さらに、前記交換局制御部は、
前記第３ユーザ経路が確立されると、前記第１ユーザ経路を解放するように前記第２ゲートウェイと前記第２基地局とを制御する
無線通信システム。
【請求項７】
前記交換局制御部は、
前記ユーザ装置が実行する通信において経由すべきゲートウェイが前記第２ゲートウェイであると前記交換局判定部が判定したときに、前記第２ユーザ経路を解放することを要求する第２ユーザ経路修正要求メッセージを前記第１基地局に送信し、
前記第１基地局制御部は、
前記第２ユーザ経路修正要求メッセージを受信すると、前記第２ユーザ経路を解放することを要求する無線設定メッセージを前記ユーザ装置に送信し、
前記ユーザ装置は、
前記無線設定メッセージを受信すると、前記第２ユーザ経路を解放し、前記第２ユーザ経路が解放されたことを示し前記第３ユーザ経路を確立することを要求する無線設定完了メッセージを前記第１基地局に送信するユーザ装置制御部を備え、
前記第１基地局制御部は、
当該第１基地局と前記ユーザ装置とに前記第３ユーザ経路を確立し、前記第３ユーザ経路が確立されたことを示す第２ユーザ経路修正応答メッセージを前記交換局に送信する
請求項６の無線通信システム。
【請求項８】
前記交換局制御部は、
前記第２ユーザ経路修正応答メッセージを受信すると、前記第１ユーザ経路を含む前記論理セッションを解放することを要求するセッション削除要求メッセージを前記第２ゲートウェイに送信し、
前記第２ゲートウェイは、
前記セッション削除要求メッセージを受信すると、前記第１ユーザ経路を解放することを要求する第１ユーザ経路解放要求メッセージを前記第２基地局に送信する第２ゲートウェイ制御部を備え、
前記第２基地局は、
前記第１ユーザ経路解放要求メッセージを受信すると、前記第１ユーザ経路と前記第２ユーザ経路との関連付けを解消し、第１ユーザ経路解放応答メッセージを前記第２ゲートウェイに送信する第２基地局制御部を備え、
前記第２ゲートウェイ制御部は、
前記第１ユーザ経路解放応答メッセージを受信すると、前記第１ユーザ経路を解放する
請求項７の無線通信システム。
【請求項９】
ユーザ装置と、
前記ユーザ装置の無線リソース制御を制御経路を介して実行可能である第１基地局と、
前記ユーザ装置の無線リソース制御を実行しない第２基地局と
を含む複数の基地局と、
前記第１基地局に接続される第１ゲートウェイと、
前記第２基地局に接続される第２ゲートウェイと
を含む複数のゲートウェイと、
ノード間のユーザ経路の確立を制御する交換局とを備える無線通信システムの制御方法であって、
前記交換局において、
前記ユーザ装置が実行する通信において経由すべきゲートウェイが前記第２ゲートウェイであるか否かを判定することと、
前記ユーザ装置が実行する通信において経由すべきゲートウェイが前記第２ゲートウェイであると判定された場合に、
前記第２基地局から前記第２ゲートウェイへの上りリンクの第１ユーザ経路を確立するように前記第２基地局と前記第２ゲートウェイとを制御することと、
前記ユーザ装置と前記第２基地局とに無線経路である第２ユーザ経路を確立するように前記第１基地局と前記第２基地局とを制御することと、
前記第１基地局において、
前記交換局による制御に基づき、前記第２ユーザ経路を確立するように前記ユーザ装置を制御することと、
前記第２基地局において、
前記第２ゲートウェイから前記第２基地局への下りリンクの第１ユーザ経路を確立するように当該第２基地局と前記第２ゲートウェイとを制御することとを備える
制御方法。
【請求項１０】
ユーザ装置と、
前記ユーザ装置の無線リソース制御を制御経路を介して実行可能である第１基地局と、
前記ユーザ装置の無線リソース制御を実行しない第２基地局と
を含む複数の基地局と、
前記第１基地局に接続される第１ゲートウェイと、
前記第２基地局に接続される第２ゲートウェイと
を含む複数のゲートウェイと、
ノード間のユーザ経路の確立を制御する交換局とを備える無線通信システムの制御方法であって、
前記交換局において、
前記ユーザ装置が実行する通信において経由すべきゲートウェイが前記第１ゲートウェイであるか否かを判定することと、
前記ユーザ装置が、前記第２ゲートウェイと前記第２基地局とに確立されている第１ユーザ経路および前記第２基地局と前記ユーザ装置とに確立されている第２ユーザ経路を含む論理セッションを介して通信を実行している場合であって、前記ユーザ装置が実行する通信において経由すべきゲートウェイが前記第１ゲートウェイであると判定されたときに、前記第２ユーザ経路を解放すると共に前記ユーザ装置と前記第１基地局とに第３ユーザ経路を確立するように、前記第１基地局を制御することと、
前記第１基地局において、
前記交換局による制御に基づき、前記第３ユーザ経路を確立するように前記ユーザ装置を制御することと、
前記交換局において、
前記第３ユーザ経路が確立されると、前記第１ユーザ経路を解放するように前記第２ゲートウェイと前記第２基地局とを制御することとを備える
制御方法。
【手続補正２】
【補正対象書類名】明細書
【補正対象項目名】００１６
【補正方法】変更
【補正の内容】
【００１６】
本発明の第２態様の制御方法は、ユーザ装置と、前記ユーザ装置の無線リソース制御を制御経路を介して実行可能である第１基地局と、前記ユーザ装置の無線リソース制御を実行しない第２基地局とを含む複数の基地局と、前記第１基地局に接続される第１ゲートウェイと、前記第２基地局に接続される第２ゲートウェイとを含む複数のゲートウェイと、ノード間のユーザ経路の確立を制御する交換局とを備える無線通信システムの制御方法であって、前記交換局において、前記ユーザ装置が実行する通信において経由すべきゲートウェイが前記第１ゲートウェイであるか否かを判定することと、前記ユーザ装置が、前記第２ゲートウェイと前記第２基地局とに確立されている第１ユーザ経路および前記第２基地局と前記ユーザ装置とに確立されている第２ユーザ経路を含む論理セッションを介して通信を実行している場合であって、前記ユーザ装置が実行する通信において経由すべきゲートウェイが前記第１ゲートウェイであると判定されたときに、前記第２ユーザ経路を解放すると共に前記ユーザ装置と前記第１基地局とに第３ユーザ経路を確立するように、前記第１基地局を制御することと、前記第１基地局において、前記交換局による制御に基づき、前記第３ユーザ経路を確立するように前記ユーザ装置を制御することと、前記交換局において、前記第３ユーザ経路が確立されると、前記第１ユーザ経路を解放するように前記第２ゲートウェイと前記第２基地局とを制御することとを備える。
【手続補正３】
【補正対象書類名】明細書
【補正対象項目名】００６０
【補正方法】変更
【補正の内容】
【００６０】
２（１）．  第１基地局を介したＵプレーン経路の確立
図１５を参照して、第１基地局ｅＮＢを介したＵプレーン経路の確立動作の一例を説明する。図１５の動作を概説すると、ユーザ装置ＵＥは、当初、第２基地局ＰｈＮＢおよび第２ゲートウェイＰｈＧＷを介してインターネットＩＮと通信を実行している。その後、第１基地局ｅＮＢを介してＵプレーン経路（第１データ無線ベアラＤＲＢ１）が確立される。ユーザ装置ＵＥは、確立されたＵプレーン経路を利用して、第１基地局ｅＮＢおよび第１ゲートウェイＳＡＥＧＷを経由してインターネットＩＮと通信を実行することが可能となる。